(57)【要約】【課題】低コスト化、生産性向上及び量産化が図られ、且つ、完璧な防水効果を達成できるＴＶの防水構造を提供する。【解決手段】第１防水パッキングに密着されるバックカバーと、このバックカバーと結合されるフロントべゼルと、このフロントべゼルに設置され、第２防水パッキングに密着される透明フロントパネルと、で構成されるもので、前記フロントべゼルに前記バックカバーと第１ネジによって締結される第１ボスと、前記第１ネジの締結によって前記バックカバーに密着される前記第１防水パッキングを支持するリブと、前記フロントパネルと第２ネジによって締結される第２ボスと、前記第２ネジの締結によって前記フロントパネルに密着される前記第２防水パッキングの設置のために形成される溝と、を備える構成とした。【選択図】図１
2008141720.tif 000002
【特許請求の範囲】
【請求項１】
第１防水パッキングに密着されるバックカバーと、
前記バックカバーと結合されるフロントべゼルと、
前記フロントべゼルに設置され、第２防水パッキングに密着される透明フロントパネル
と、で構成されるものであって、
前記フロントべゼルに前記バックカバーと第１ネジによって締結される第１ボスと、
前記第１ネジの締結によって前記バックカバーに密着される前記第１防水パッキングを
支持するリブと、
前記フロントパネルと第２ネジによって締結される第２ボスと、
前記第２ネジの締結によって前記フロントパネルに密着される前記第２防水パッキング
の設置のために形成された溝と、
を備えることを特徴とする、ＴＶの防水構造。
【請求項２】
前記第２ボスと前記溝の構造の代わりに、防水両面テープによってフロントパネルをフロ
ントべゼルに設置したことを特徴とする、請求項１に記載のＴＶの防水構造。
【請求項３】
前記バックカバーは、アルミニウム板材で絞りプレス加工して形成し、前記フロントべゼ
ルは、ＡＢＳ樹脂又はＡＢＳとポリカーボネートとの合成樹脂で射出成形によって形成し
たことを特徴とする、請求項１又は２に記載のＴＶの防水構造。
【請求項４】
前記第１ボスを前記リブよりも内側に形成し、前記第１ボスに締結される第１ネジに防水
用Ｏ−リング（Ｏ−ｒｉｎｇ）を設置したことを特徴とする、請求項１又は２に記載のＴ
Ｖの防水構造。
【請求項５】
前記溝は、隔たった一対のガイドリブによって形成され、それぞれのガイドリブの内側面
には複数の離脱防止突起が形成され、これらの各ガイドリブに形成された離脱防止突起は
互いにずれて千鳥配列されたことを特徴とする、請求項１又は２に記載のＴＶの防水構造
。
【請求項６】
前記第１及び第２ネジは、プラスチック又はステンレス鋼材質からなることを特徴とする
、請求項１又は２に記載のＴＶの防水構造。
【請求項７】
前記バックカバーに密着される第１防水パッキングに加えられる圧力と、前記フロントパ
ネルに密着される第２防水パッキングに加えられる圧力が、１８０ｇ／ｃｍ２を超えるこ
とを特徴とする、請求項１又は２に記載のＴＶの防水構造。
【発明の詳細な説明】
【技術分野】
【０００１】
本発明は、防水(waterproof)構造に係り、特に、量産可能で且つ完璧な防水が可能な構造
に改良したフラットＴＶやブラウン管ＴＶなどのテレビジョン（以下「ＴＶ」）の防水構
造に関する。
【背景技術】
【０００２】
従来のＴＶの防水構造は、図７に示すように、ポリカーボネート材質のフロントパネル１
１と、アルミニウム材質のリアカバー１２との２構成要素が組み立てられて構成される。
すなわち、リアカバー１２に形成されたねじ穴へのボルト１０の締め付けによって組み立
てられ、リアカバー１２に形成された台形状のシーリング溝２１に挿入されたシーリング
部材（Ｏ−リング）２２によって防水される構造となる（例えば、特許文献１）。
【０００３】
このような従来の防水構造において、アルミニウム材質のリアカバーは、鋳物製作、すな
わち、溶解した金属を鋳型中に入れ凝固させて希望の形状の金属製品にする方式で作られ
てきた。
【０００４】
【特許文献１】大韓民国登録実用新案２０−０４１１０４６号
【発明の開示】
【発明が解決しようとする課題】
【０００５】
しかしながら、上記のような鋳物製作は、鋳型が必要である他、機械加工という仕上げ作
業を行わねばならず、コスト及び製作の面で問題があり、なお、鋳物製作時にできる気泡
（ｂｌｏｗ  ｈｏｌｅ）、収縮巣（ｓｈｒｉｎｋａｇｅ  ｃａｖｉｔｙ）などの欠陥によ
って封止（Ｓｅａｌｉｎｇ）に不具合が生じてきた。
【０００６】
しかも、上記のような問題点を持っているリアカバーの鋳物製作は、試作品段階のように
生産数量の少ない場合には適用可能であるが、大量生産のための量産段階ではコストや生
産性の面から適用しにくいという問題があった。
【０００７】
そこで、上記のような問題点を解決するために本発明者は、防水分野で多年間ノウハウを
蓄積し、本発明を完成するに至った。
【０００８】
本発明の目的は、バックカバー(Ｂａｃｋ  ｃｏｖｅｒ)をコスト、製作及び量産の面で有
利なアルミニウム板材で製作し、プラスチック材質のフロントべゼル（Ｆｒｏｎｔ  Ｂｅ
ｚｅｌ）に防水パッキングを備える防水構造を形成するとともに、該防水パッキングにバ
ックカバーとフロントパネルが一定圧力を加えるように組み立てることによって、防水を
完璧に達成する一方で、量産を可能にしたＴＶの防水構造を提供することにある。
【課題を解決するための手段】
【０００９】
上記目的を達成するために、本発明は、（１）第１防水パッキングに密着されるバックカ
バーと、前記バックカバーと結合されるフロントべゼルと、前記フロントべゼルに設置さ
れ、第２防水パッキングに密着される透明フロントパネルと、で構成されるものであって
、前記フロントべゼルに前記バックカバーと第１ネジによって締結される第１ボスと、前
記第１ネジの締結によって前記バックカバーに密着される前記第１防水パッキングを支持
するリブと、前記フロントパネルと第２ネジによって締結される第２ボスと、前記第２ネ
ジの締結によって前記フロントパネルに密着される前記第２防水パッキングの設置のため
に形成された溝と、を備えるＴＶの防水構造を提供する。
【００１０】
本発明のＴＶの防水構造は、（２）上記の（１）において、前記第２ボスと前記溝の構造
の代わりに、防水両面テープによってフロントパネルをフロントべゼルに設置したことを
特徴とする。
【００１１】
本発明のＴＶの防水構造は、（３）上記の（１）又は（２）において、前記バックカバー
は、アルミニウム板材で絞りグプレス加工して形成し、前記フロントべゼルは、ＡＢＳ樹
脂又はＡＢＳとポリカーボネートとの合成樹脂で射出成形によって形成したことを特徴と
する。
【００１２】
本発明のＴＶの防水構造は、（４）上記の（１）又は（２）において、前記第１ボスを前
記リブよりも内側に形成し、前記第１ボスに締結される第１ネジに防水用Ｏ−リング（Ｏ
−ｒｉｎｇ）を設置したことを特徴とする。
【００１３】
本発明のＴＶの防水構造は、（５）上記の（１）又は（２）において、前記溝は、隔たっ
た一対のガイドリブによって形成され、それぞれのガイドリブの内側面には複数の離脱防
止突起が形成され、前記各ガイドリブに形成された離脱防止突起は互いにずれて千鳥配列
されたことを特徴とする。
【００１４】
本発明のＴＶの防水構造は、（６）上記の（１）又は（２）において、前記第１及び第２
ネジは、プラスチック又はステンレス鋼材質からなることを特徴とする。
【００１５】
本発明のＴＶの防水構造は、（７）上記の（１）又は（２）において、前記バックカバー
に密着される第１防水パッキングに加えられる圧力と前記フロントパネルに密着される第
２防水パッキングに加えられる圧力が、１８０ｇ／ｃｍ２を超えることを特徴とする。
【発明の効果】
【００１６】
本発明の防水構造によれば、低コスト化、生産性向上及び量産化が可能になり、かつ、完
璧な防水効果を達成でき、ＴＶの耐久性を向上させることが可能になる。
【発明を実施するための最良の形態】
【００１７】
以下、本発明の構成とその作用効果を、添付の図面に基づいて詳細に説明する。
図１は、本発明の防水構造の第１実施例を拡大して示す側断面図であり、図２は、本発明
の防水構造の第２実施例を拡大して示す側断面図である。
【００１８】
図３は、本発明の防水構造においてフロントパネルの防水構造を拡大して示す部分斜視図
であり、図４は、図３の構造に防水パッキングを設置した状態を示す部分拡大平面図であ
る。図５は、本発明の防水構造の第３実施例を拡大して示す側断面図であり、図６は、本
発明の防水構造の第４実施例を拡大して示す側断面図である。
【００１９】
図示のように、本発明によるＴＶの防水構造は、第１防水パッキング３４に密着されるバ
ックカバー３１と、このバックカバー３１と結合されるフロントべゼル３２と、このフロ
ントべゼル３２に設置され、第２防水パッキング３５に密着される透明フロントパネル３
３とで構成される。
【００２０】
このように、本発明によるＴＶの防水構造は、バックカバー３１、フロントべゼル３２及
び透明フロントパネル３３の３つの構成要素からなるＴＶの外ケースと、バックカバー３
１とフロントべゼル３２との間で防水機能を担当する第１防水パッキング３４と、フロン
トべゼル３２とフロントパネル３３との間で防水機能を担当する第２防水パッキング３５
と、からなる。
【００２１】
透明フロントパネル３３は、フラットＴＶのパネル画面又はブラウン管ＴＶのＣＲＴ画面
が表示される部分で、透明な材質のポリカーボネート又はアクリルで製作される。
【００２２】
このように構成される本発明の防水構造は、より詳細には、図１及び図２の第１及び第２
実施例にそれぞれ示すように、フロントべゼル３２に形成される次のような構造によって
達成される。
【００２３】
すなわち、バックカバー３１と第１ネジ３６によって締結される第１ボス３７と、第１ネ
ジ３６の締結によってバックカバー３１に密着される第１防水パッキング３４を支持する
リブ３８と、フロントパネル３３と第２ネジ３９によって締結される第２ボス４１と、第
２ネジ３９の締結によってフロントパネル３３に密着される第２防水パッキング３５が設
置されるように形成された溝（Ｇｒｏｏｖｅ）５１とがフロントべゼル３２に形成されて
達成される。未説明符号３８ａは、前記リブ３８の補強部材を表す。
【００２４】
ここでは、第１防水パッキング３４が逆Ｕ字型にリブ３８に嵌設されているが、フロント
べゼル３２の形状、すなわち、四角形、円形、菱形、又は、その他の形状によって四角リ
ング、Ｏ−リング、菱形のリング等、様々な形態のリング（ｒｉｎｇ）にしても良い。第
２防水パッキング３５は一定の厚さを持つもので、溝５１に圧入されて離脱しないように
設置されるものであれば、その形状に特に制限はなく、フロントパネル３３の形状に応じ
て、第１防水パッキング３４と同様に、様々な形態のリングにしても良い。
【００２５】
溝５１は、図３及び図４に示すように、一対のガイドリブ５２が隔たって形成されるもの
で、それぞれのガイドリブ５２の内側面には離脱防止突起５３が形成される。ここで、各
ガイドリブ５２に形成される離脱防止突起５３は、図４の平面図に示すように、互いにず
れて千鳥配列される。したがって、溝５１に第２防水パッキング３５がはめ込まれながら
これらの離脱防止突起５３によって加圧され、離脱しにくくなる。
【００２６】
このような溝５１は、後述するフロントべゼル３２の射出成形によって形成される。しか
し、射出成形時にガイドリブ５２の厚さが厚くなって収縮が生じ、第２防水パッキング３
５と接触するガイドリブ５２の内側面に凹凸ができる可能性が高いため防水効果が落ちる
、又は、 第２防水パッキング３５ が離脱して防水効果が落ちる恐れがある。
【００２７】
これに鑑みて、上記のようにガイドリブ５２に離脱防止突起５３を形成すると、射出成形
時において収縮が防止されるとともに、上記のように第２防水パッキング３５が溝５１に
圧入されて離脱しなくなり、所望の防水効果が達成可能になる。
【００２８】
一方、図２の第２実施例は、第１ボス３７とリブ３８の位置を、図１の第１実施例におけ
るそれらの位置とは逆にした構成、すなわち、第１ボス３７をリブ３８よりも内側に配置
した構成とした。この場合、第１ボス３７に締結される第１ネジ３６の締結部位から水分
が流入する恐れに備え、防水用Ｏ−リング（Ｏ−ｒｉｎｇ）７１が第１ネジ３６に設置さ
れる。図２のように、図１とは逆に、第１防水パッキング３４が設置されるリブ３８を第
１ボス３７の外側に設置すると、水分が流入する空間が最小限に抑えられ、ＴＶの電子部
品に及ぶ悪影響をより減らすという効果が得られる。
【００２９】
また、図５及び図６に示す本発明の第３及び４実施例は、フロントパネル３３の設置部位
から流入する水分をシールするための構造を、図１及び図２に示す第１及び第２実施例に
おける第２ボス４１及び溝５１の構造とせず、防水両面テープ６１としたことに特徴があ
る。このように防水両面テープ６１でフロントパネル３３を設置すると、第１及び第２実
施例よりも簡易に設置でき、作業工程が速かになるため、生産性が向上するという効果が
得られる。
【００３０】
上記の本発明の防水構造の構成要素において、バックカバー３１は、アルミニウム板材で
絞り（Ｄｒａｗｉｎｇ）プレス加工して形成され、フロントべゼル３２は、ＡＢＳ樹脂又
はＡＢＳとポリカーボネートとの合成樹脂で射出成形によって形成される。その結果、従
来の構造に比べて、原価節減による低コスト化、生産性向上及び量産化が可能になる。
そして、第１及び第２ネジ３６，３９は、プラスチック又はステンレス鋼材質で形成され
るため、水分との接触による錆ができず、ＴＶの外観を美麗に維持できる。
【００３１】
このように構成される本発明によるＴＶの防水構造において、第１防水パッキング３４に
よるバックカバー３１とフロントべゼル３２間の第１結合部位と、第２防水パッキング３
５によるフロントべゼル３２とフロントパネル３３間の第２結合部位における防水原理は
、次の通りである。
【００３２】
まず、フロントパネル３３とフロントべゼル３２との第２結合部位においてフロントべゼ
ル３２の第２ボス４１に第２ネジ３９を締結すると、第２ネジ３９の締結力によってフロ
ントパネル３３が第２防水パッキング３５を押圧しながら第２防水パッキング３５がフロ
ントパネル３３とフロントべゼル３２間の第２結合部位を隙間なくシールし、前面防水が
なされる。
【００３３】
また、バックカバー３１とフロントべゼル３２の第１結合部位においてフロントべゼル３
２の第１ボス３７に第１ネジ３６を締結すると、第１ネジ３６の締結力によってバックカ
バー３１が第１防水パッキング３４を押圧しながら第１防水パッキング３４がバックカバ
ー３１とフロントべゼル３２との第１結合部位を隙間なくシールし、後面防水がなされる
。
【００３４】
このようにフロントパネル３３とバックカバー３１がフロントべゼル３２に組み立てられ
ることによって本発明で達成しようとする前面及び後面防水構造が構成される。これと関
連し、以下、第１及び第２ネジ３６，３９が締結されつつバックカバー３１及びフロント
パネル３３によってそれぞれ押圧される第１及び第２防水パッキング３４、３５が、ある
程度の圧力で押されると防水可能になるかについて説明する。
【００３５】
通常、防水の国際規格はＩＰ規格に従うが、米国内で適用されるＮＥＭＡ規格もあり、Ｋ
Ｓ規格、ＪＩＳ規格もある。本発明の場合、通常の国際規格であるＩＰ規格を適用する。
ＩＰ規格の最高防水等級は、ＩＰ  ６８であり、水没状態（Ｓｕｂｍｅｒｓｉｏｎ）を意
味する。この規格を本発明は満たす。水没状態のＩＰ  ６８規格は、いずれの方向から噴
射される水に対しても防水され、１．８ｍ水深の水圧に耐えうる防水構造のことをいう。
【００３６】
通常、大気圧は１ａｔｍ又は１ｂａｒで表示され、ＭＫＳ単位に換算すると約１ｋｇ／ｃ
ｍ２で表すことができる。正確に表現すると、１ａｔｍは１．０３３ｋｇ／ｃｍ２で、１
ｂａｒは１．０２ｋｇ／ｃｍ２に換算されるので、通常、１ａｔｍ又は１ｂａｒを１ｋｇ
／ｃｍ２で表す。上記の１．８ｍ水深の水圧は、約１．１８ｋｇ／ｃｍ２で表される（水
圧は、１０Ｍ深くなるごとに１気圧ずつ上がる）。
【００３７】
したがって、１．８ｍ水深で防水するためには、第１ネジ３６によってバックカバー３１
とフロントべゼル３２が結合される時に第１防水パッキング３４とバックカバー３１間に
加えられる力と、第２ネジ３９によってフロントパネル３３とフロントべゼル３２が結合
される時に第２防水パッキング３５とフロントパネル３３間に加えられる力が１８０ｇ／
ｃｍ２を超えれば良い。
【００３８】
まず、フロントパネル３３が第２ネジ３９によってフロントべゼル３２に組み立てられて
から、バックカバー３１が第１ネジ３６によってフロントべゼル３２に組み立てられるが
、バックカバー３１とフロントべゼル３２の組み立て時には既にＴＶの内側には大気圧約
１ｋｇ／ｃｍ２程度が存在している。
【００３９】
したがって、本発明で防水されるための条件は、第１防水パッキング３４がバックカバー
３１によって押圧される圧力と、第２防水パッキング３５がフロントパネル３３によって
押圧される圧力が２００ｇ／ｃｍ２以上であれば充分であることがわかる（１．１８ｋｇ
／ｃｍ２−１ｋｇ／ｃｍ２＝１８０ｇ／ｃｍ２）。すなわち、第１及び第２防水パッキン
グ３４、３５がバックカバー３１とフロントパネル３３によって１８０ｇ／ｃｍ２よりも
高い２００ｇ／ｃｍ２以上で押圧されると充分に防水がなされるわけである。
【００４０】
以上記述した第１及び第２防水パッキング３４、３５が押圧される圧力は、水没状態とい
う悪条件を想定したもので、この圧力にすると完璧な防水がなされる。
【００４１】
このように、第１及び第２防水パッキング３４，３５を採用した本発明のＴＶの防水構造
は、フラットＴＶやブラウン管ＴＶのいずれにも適用可能であり、これに限定さることは
ない。
【００４２】
なお、図５及び図６に示す第３及び第４実施例のように、フロントパネル３３とフロント
べゼル３２を防水両面テープ６１で付着する場合にも、上述のように、１．８ｍ水深の水
圧、すなわち、１８０ｇ／ｃｍ２の圧力に耐えうることが、実験から明らかになった。
【００４３】
このような本発明の防水構造を持つＴＶは、銭湯、家庭やホテルのお風呂、その他の湿気
や水分の多い場所に安心して設置でき、さらには、洪水によってＴＶが水没状態になって
も故障する心配がない。
【図面の簡単な説明】
【００４４】
【図１】本発明の防水構造の第１実施例を拡大して示す側断面図である。
【図２】本発明の防水構造の第２実施例を拡大して示す側断面図である。
【図３】本発明の防水構造においてフロントパネル防水構造の溝を示す部分拡大斜視図である。
【図４】図３に示す溝に防水パッキングを設置した状態を示す部分拡大平面図である。
【図５】本発明の防水構造の第３実施例を拡大して示す側断面図である。
【図６】本発明の防水構造の第４実施例を拡大して示す側断面図である。
【図７】従来の防水構造を示す断面図である。
【符号の説明】
【００４５】
３１    バックカバー
３２    フロントべゼル
３３    フロントパネル
３４    第１防水パッキング
３５    第２防水パッキング
３６    第１ネジ
３７    第１ボス
３８    リブ
３９    第２ネジ
４１    第２ボス
５１    溝
５２    ガイドリブ
５３    離脱防止突起
６１    防水両面テープ
７１    Ｏ−リング
【図１】
2008141720.tif 000003
【図２】
2008141720.tif 000004
【図３】
2008141720.tif 000005
【図４】
2008141720.tif 000006
【図５】
2008141720.tif 000007
【図６】
2008141720.tif 000008
【図７】
2008141720.tif 000009